(57)【要約】【課題】上下に吐水口を備え、かつ、吐水方向を切り換え可能な吐水装置を提供する。【解決手段】ポンプ１１０は吸水口１０４から浴槽水を汲み上げる。共通導水路はポンプに連通され、上部導水路１１８は共通導水路から分岐する。上部吐水口１０８は上部導水路１１８に連通され、ポンプが汲み上げた水を吐出する。下部導水路も共通導水路から分岐する。下部吐水口１０６は下部導水路に連通され、ポンプが汲み上げた水を吐出する。切替弁１１２は、上部導水路１１８および下部導水路の双方または一方を連通させる。上部吐水口１０８は共通導水路の分岐点よりも上部に位置し、下部吐水口１０６は上部吐水口１０８よりも下部に位置する。弁制御装置１２６は、切替弁１１２に制御信号を送信する。弁制御装置１２６は、ポンプの運転停止時には、上部導水路１１８の残水を下部導水路に導くために上部導水路１１８と下部導水路を連通させる。【選択図】図２
2019010532.tif 000002
【特許請求の範囲】
【請求項１】
吸水口と、
前記吸水口から浴槽水を汲み上げるポンプと、
前記ポンプに連通される共通導水路と、
前記共通導水路から分岐する上部導水路と、
前記上部導水路に連通され、前記ポンプが汲み上げた水を吐出する上部吐水口と、
前記共通導水路から分岐する下部導水路と、
前記下部導水路に連通され、前記ポンプが汲み上げた水を吐出する下部吐水口と、
前記上部導水路および下部導水路の双方または一方を連通させる切替弁と、を備え、
前記上部吐水口は前記共通導水路の分岐点よりも上部に位置し、前記下部吐水口は前記上部吐水口よりも下部に位置することを特徴とする吐水装置。
【請求項２】
前記切替弁に制御信号を送信することにより、前記切替弁を制御する弁制御装置、を更に備えることを特徴とする請求項１に記載の吐水装置。
【請求項３】
前記弁制御装置は、前記ポンプの運転停止時には、前記上部導水路の残水を前記下部導水路に導くために前記上部導水路と前記下部導水路を連通させることを特徴とする請求項２に記載の吐水装置。
【請求項４】
前記弁制御措置は、所定の自動制御条件が成立したときには、前記切替弁に所定の動作を実行させることを特徴とする請求項２または３に記載の吐水装置。
【請求項５】
前記弁制御装置は、前記ポンプの運転開始時には、前記上部導水路を閉鎖することを特徴とする請求項２から４のいずれかに記載の吐水装置。
【発明の詳細な説明】
【技術分野】
【０００１】
本発明は、浴槽に設置される吐水装置に関し、特に、吐水装置の導水制御技術に関する。
【背景技術】
【０００２】
入浴者の腰や首、肩などに局所的な吐水をすることにより、マッサージ効果を提供する吐水装置がある（特許文献１参照）。吐水装置は、浴槽水をポンプで汲み上げて、浴槽内の入浴者に向けて吐水することで浴槽水を循環させる。
【０００３】
特許文献１では、浴槽内のノズル（下部の吐水口）から噴流を入浴者の腰や背中に向けて吐出するとともに同時に、吐出部（上部の吐水口）からも入浴者の肩を包むように吐水している。より具体的には、ポンプが汲み上げた水は第１の配管部を流れ、更に、第１の配管部から上方に分岐した第３の配管部と、下方に分岐した第２の配管部にそれぞれ流れ込む。ノズルは第２の配管部に連通され、吐出部は第３の配管部に連通している。
すなわち、ポンプによって汲み上げられた浴槽水は第１の配管部から上下２系統に分岐する構造となっている。
【先行技術文献】
【特許文献】
【０００４】
【特許文献１】特開２０１０−７５４７３号公報
【発明の概要】
【発明が解決しようとする課題】
【０００５】
しかし、特許文献１のように上下の吐水口から同時に吐水するだけでなく、複数の吐水口を選択的に使用したい場合もある、と本発明者は考えた。たとえば、肩を怪我している入浴者にとって上部への吐水は不要である。また、複数の吐水口から同時に吐水する場合には浴槽水を汲み上げるポンプは大きなパワーを必要とするが、選択式なら低出力のポンプでも十分な吐水量を確保できるというメリットもある。
【０００６】
また、ポンプの運転を停止させたとき、各配管には若干の水が残る（以下、「残水」とよぶ）。特に暖かい残水は雑菌を繁殖させる可能性があるため、運転停止後は配管の残水を極力排除する必要もある。
【０００７】
本発明は、上記課題に鑑みてなされたものであり、その主たる目的は、上下に吐水口を備え、かつ、吐水方向を切り換え可能な吐水装置を提供することにある。
【課題を解決するための手段】
【０００８】
上記課題を解決するために、本発明のある態様の吐水装置は、吸水口と、吸水口から浴槽水を汲み上げるポンプと、ポンプに連通される共通導水路と、共通導水路から分岐する上部導水路と、上部導水路に連通され、ポンプが汲み上げた水を吐出する上部吐水口と、共通導水路から分岐する下部導水路と、下部導水路に連通され、ポンプが汲み上げた水を吐出する下部吐水口と、上部導水路および下部導水路の双方または一方を連通させる切替弁と、を備える。
上部吐水口は共通導水路の分岐点よりも上部に位置し、下部吐水口は上部吐水口よりも下部に位置する。
【０００９】
「吐水」とは水または湯を単に吐き出すことを意味し、その吐き出し方を限定するものではない。たとえば、帯状に浴槽水を垂らすような吐水方法も、ジェット噴射や噴霧のような吐水方法も「吐水」の一種である。
上記構成によれば、上下の吐水口を切替弁により選択できるため、入浴者の好みに応じた吐水が可能となる。また、共通導水路の浴槽水を分流させずに上部導水路と下部導水路のどちらか一方にそのまま流すため、ポンプのパワーが小さくても充分な吐水量を確保しやすい。更に、切替弁を操作して上部導水路と下部導水路を連通させれば、運転停止時に上部導水路の残水を効果的に排出しやすくなる。
【００１０】
切替弁に制御信号を送信することにより、切替弁を制御する弁制御装置、を更に備えてもよい。
【００１１】
弁制御装置は、ユーザの指示により、あるいは、自動的に切替弁を制御してもよい。ユーザは直接切替弁にさわって操作してもよいが、リモコン等により弁制御装置に操作信号を送ることで弁制御装置が切替弁を制御してもよい。
【００１２】
弁制御装置は、ポンプの運転停止時には、上部導水路の残水を下部導水路に導くために上部導水路と下部導水路を連通させてもよい。
【００１３】
運転停止時に弁制御装置が上部導水路と共通導水路を自動的につなぐことにより、上部導水路の残水を下部導水路から効果的に排水させやすくなる。
【００１４】
弁制御措置は、所定の自動制御条件が成立したときには、切替弁に所定の動作を実行させてもよい。
【００１５】
切替弁を長期間動かさないと、切替弁が固着して動きにくくなってしまう可能性がある。弁制御装置が定期的に、あるいは、所定のタイミングで切替弁を自動的に動かすことにより、このような固着を未然に防止しやすくなる。
【００１６】
弁制御装置は、ポンプの運転開始時には、上部導水路を閉鎖してもよい。
【００１７】
運転開始時に、いきなり上部吐水口から吐水すると入浴者に不快感を与える可能性がある。浴槽水が冷たいときや熱いときには特に大きな不快感を与える可能性がある。そこで、運転開始時には上部導水路を閉鎖し、下部吐水口からの吐水を先に行うことでこのような不快な状態が生じないように配慮している。
【発明の効果】
【００１８】
本発明によれば、肩や腰など吐水対象箇所を選択できる吐水装置を提供できる。
【図面の簡単な説明】
【００１９】
【図１】浴槽システムの構成図である。
【図２】浴槽システムの外観斜視図である。
【図３】吐水装置の斜視図である。
【図４】吸水口と下部吐水口の拡大図である。
【図５】切替弁の外観図である。
【図６】図６（ａ）は切替弁の全開状態、図６（ｂ）は切替弁の下開放状態、図６（ｃ）は切替弁の上開放状態を示す図である。
【発明を実施するための形態】
【００２０】
図１は、浴槽システム１００の構成図である。
浴槽システム１００は、浴槽１２２に吐水装置１２４を追加したものである。吐水装置１２４は、浴槽１２２の内部に位置する吸水口１０４から浴槽水をポンプ１１０によって汲み上げ、上部吐水口１０８および下部吐水口１０６から吐水することにより、浴槽水を循環させる。
【００２１】
浴槽水は、まず、吸水口１０４から吸水路１１４とポンプ１１０を経由して共通導水路１１６に導かれる。共通導水路１１６は上部導水路１１８と下部導水路１２０に分岐する。本実施形態においてはこの分岐点に切替弁１１２が設けられるが、切替弁１１２を分岐点に設けることは必須ではない。上部吐水口１０８は少なくともこの分岐点よりも上に位置する。
【００２２】
共通導水路１１６の浴槽水は上部導水路１１８を経由して上部吐水口１０８から浴槽内に吐水されるか、下部導水路１２０を経由して下部吐水口１０６から吐水される。詳細は後述するが、上部吐水口１０８は浴槽水を帯状水として流し、下部吐水口１０６は浴槽水をバブル噴射する。すなわち、上部吐水口１０８の吐水は入浴者の肩や首に帯状水をかけることにより打たせ湯に似たリラックス感を入浴者に与え、下部吐水口１０６の吐水は入浴者の腰や背中に勢いよくバブル噴射することでマッサージ効果を与える。
【００２３】
切替弁１１２は、上部導水路１１８および下部導水路１２０の双方または一方を選択的に連通させる。入浴者は、切替弁１１２を手動で制御してもよいが、本実施形態においては制御装置１０２からの制御信号により切替弁１１２およびポンプ１１０の双方が制御される。入浴者はコンソールやリモートコントローラなどにより制御装置１０２に入力を行う。
【００２４】
図２は、浴槽システム１００の外観斜視図である。図３は、吐水装置１２４の斜視図である。
上部吐水口１０８は、浴槽１２２の縁辺方向（図２ではｙ方向）に延伸する形状を有する。上部吐水口１０８は、上部導水路１１８から供給された浴槽水を帯状水に変えて吐水する。吸水口１０４と下部吐水口１０６の構造については図４に関連しても後述するが、これらは単一のカップ１３４に形成される。カップ１３４の横に吸水口１０４が設けられ、正面に下部吐水口１０６が設けられる。
【００２５】
更に、ポンプ１１０は、外部の空気を吸気口１３２から取り込む。吸気口１３２から取り込まれた空気は浴槽水と混ぜられ、下部吐水口１０６からバブル噴射される。
【００２６】
制御装置１０２は、弁制御装置１２６とポンプ制御装置１２８を含む。コンソール１３０はユーザの操作を受け付ける。コンソール１３０はこの操作入力にしたがって弁制御装置１２６に指示を出す。弁制御装置１２６は外部の電源線１３６と接続されており、切替弁１１２に制御信号を送り、切替弁１１２を動作させる。後述するように、弁制御装置１２６は内蔵プログラムにしたがって切替弁１１２に所定の制御を自動実行させることもできる。弁制御装置１２６は、更に、コンソール１３０からの指令の一部をポンプ制御装置１２８に転送する。ポンプ制御装置１２８も外部の電源線１３６と接続されており、ポンプ１１０に各種制御信号を送ることでポンプ１１０を制御する。
【００２７】
図４は、吸水口１０４と下部吐水口１０６の拡大図である。
カップ１３４の横の吸水口１０４から浴槽水が吸い込まれ、ポンプ１１０に供給される。一方、吸気口１３２から取り入れられた空気と下部導水路１２０を流れてくる浴槽水は混合され、下部吐水口１０６から噴射される。なお、吸気口１３２から空気を取り込むことは必須ではなく、下部吐水口１０６からは水流だけを噴射してもよい。
【００２８】
図５は、切替弁１１２の外観図である。
切替弁１１２は、既知の球体形の弁であり、共通導水路１１６の導水方向を軸方向として回転する。上述したように、切替弁１１２は、共通導水路１１６から上部導水路１１８、下部導水路１２０へ分岐する位置（分岐点１３８）に設けられる。弁制御装置１２６からの制御信号にしたがって、切替弁１１２は回転する。なお、ユーザが直接、すなわち、電気制御ではなく物理的に切替弁１１２を回転させることができてもよい。
【００２９】
切替弁１１２は、以下の３状態を有する。
（１）全通状態
上部導水路１１８と下部導水路１２０、共通導水路１１６がすべて連通する状態である。実際には、上部導水路１１８から下部導水路１２０への経路は半分だけ開放されるが、全開でもよい。
（２）下開放状態
上部導水路１１８が閉鎖され、共通導水路１１６と下部導水路１２０のみが連通する状態である。
（３）上開放状態
下部導水路１２０が閉鎖され、共通導水路１１６と上部導水路１１８のみが連通する状態である。
【００３０】
図６（ａ）〜図６（ｃ）は切替弁１１２の制御状態を模式的に示す図である。
図６（ａ）は全開状態を示す。
上部吐水口１０８は分岐点１３８よりも上方にある。このため、運転停止時には上部導水路１１８のわずかな残水は分岐点の方に流れ込んでくる。このとき、切替弁１１２が上部導水路１１８を遮断してしまうと残水を排除できなくなり、雑菌が繁殖しやすくなる。そこで、ポンプ制御装置１２８がポンプ１１０に運転停止指示を送るとき、弁制御装置１２６は切替弁１１２に制御信号を送信し、切替弁１１２を全通状態に設定する。これにより、上部導水路１１８の管壁などに付着する残水は分岐点１３８の切替弁１１２に邪魔されることなく、下部導水路１２０に流れていく。下部導水路１２０の残水は吸水口１０４から浴槽内に排出される。このような制御方法により、各導水路、特に、上部導水路１１８の残水を効果的に排除し、導水路を清潔に保つ。
【００３１】
図６（ｂ）は下開放状態を示す。
吐水装置１２４の稼働時において、入浴者が下部吐水口１０６を選択すると、弁制御装置１２６は切替弁１１２を下開放状態にセットする。こうして、吸水口１０４から汲み上げられた水は下部吐水口１０６のみから噴射される。
【００３２】
更に、入浴者が吐水装置１２４の運転開始を指示したとき、弁制御装置１２６は切替弁１１２を下開放状態に設定し、そのあとにポンプ制御装置１２８はポンプ１１０を駆動させる。吐水装置１２４が運転を開始したとき、冷たい浴槽水あるいは熱い浴槽水が上部吐水口１０８から入浴者の露出した肌に吐出されると入浴者に不快感を与える可能性がある。一方、下部吐水口１０６からの吐水は浴槽水の中での吐水なので不意の吐出であっても入浴者に不快感を与える可能性は低い。
【００３３】
また、浴槽掃除のときなどにポンプ１１０を誤作動させてしまったときにも高い位置の上部吐水口１０８から吐水すると服を濡らしてしまう可能性がある。したがって、運転開始時には上部吐水口１０８は閉鎖し、下部吐水口１０６から吐水するように自動設定する。
【００３４】
図６（ｃ）は上開放状態を示す。
吐水装置１２４の稼働時において、入浴者が上部吐水口１０８を選択すると、弁制御装置１２６は切替弁１１２を上開放状態にセットする。こうして、吸水口１０４から汲み上げられた水は上部吐水口１０８のみから噴射される。
【００３５】
最後に、切替弁１１２の固着の可能性とその対策について説明する。
切替弁１１２を長期間動かしていないと、切替弁１１２の回転軸が固着してしまい動きにくくなる可能性がある。そこで、弁制御装置１２６は、切替弁１１２を最後に動かしてからの経過時間をカウントし、所定時間、たとえば４８時間経過したときには切替弁１１２を自動的に回転させる。このような自動制御により切替弁１１２の固着を防ぐことができる。また、ユーザの指示によって、あるいは、自動的に切替弁１１２を動かすときであっても切替弁１１２が指示通りに動かなかったときには、弁制御装置１２６は切替弁１１２に再動作指示を出してもよい。このように切替弁１１２が完全固着する前に適切に動かせばよい。
【００３６】
そのほかには、所定時刻になったら自動的に切替弁１１２を動かしてもよい。たとえば、冬には明け方などの切替弁１１２が凍結しやすい時間に切替弁１１２を自動的に動かしてもよい。
【００３７】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００３８】
本実施形態においては、２つの下部吐水口１０６と１つの上部吐水口１０８を対象として説明したが（図２，図３参照）、言うまでもなく、下部吐水口１０６や上部吐水口１０８、吸水口１０４の数は任意である。
【００３９】
入浴者は、上部吐水口１０８からは暖かい吐水が首や肩にかかることを期待している。そのため、浴槽水の温度が所定値よりも低いとき、あるいは、所定値よりも高いときには上部吐水口１０８からの吐水がなされないように下開放状態に設定してもよい。
【００４０】
浴室に人感センサを設置し、人感センサが人を検知しないときには上部吐水を防ぐために下開放状態にしたり、あるいは、ポンプ１１０の作動を禁止してもよい。人がいないときに吐水装置１２４を作動させるのは無意味であるし、特に、上部吐水口１０８まで浴槽水を汲み上げて吐水するのは熱効率の面でも好ましくないためである。
【００４１】
弁制御装置１２６は、吐水装置１２４の運転中であっても、切替弁１１２をあらかじめ決められたアルゴリズムにしたがって自動制御してもよい。たとえば、入浴時間を１０分とすると、最初の５分は下部吐水口１０６から吐水し、次の５分は上部吐水口１０８から吐水するようなプログラムをセットしてもよい。
【００４２】
ポンプ１１０は運転停止時に上部吐水口１０８から吸気することにより、上部導水路１１８の残水を積極的に排除してもよい。あるいは、ポンプ１１０は吸気口１３２から取り込んだ空気を上部吐水口１０８から排出することで上部導水路１１８の残水を上部吐水口１０８から吹き飛ばしてもよい。
【符号の説明】
【００４３】
１００  浴槽システム、  １０２  制御装置、  １０４  吸水口、  １０６  下部吐水口、  １０８  上部吐水口、  １１０  ポンプ、  １１２  切替弁、  １１４  吸水路、  １１６  共通導水路、  １１８  上部導水路、  １２０  下部導水路、  １２２  浴槽、  １２４  吐水装置、  １２６  弁制御装置、  １２８  ポンプ制御装置、  １３０  コンソール、  １３２  吸気口、  １３４  カップ、  １３６  電源線、  １３８  分岐点。
【図１】
2019010532.tif 000003
【図２】
2019010532.tif 000004
【図３】
2019010532.tif 000005
【図４】
2019010532.tif 000006
【図５】
2019010532.tif 000007
【図６】
2019010532.tif 000008
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
吸水口と、
前記吸水口から浴槽水を汲み上げるポンプと、
前記ポンプに連通される共通導水路と、
前記共通導水路から分岐する上部導水路と、
前記上部導水路に連通され、前記ポンプが汲み上げた水を吐出する上部吐水口と、
前記共通導水路から分岐する下部導水路と、
前記下部導水路に連通され、前記ポンプが汲み上げた水を吐出する下部吐水口と、
前記上部導水路および下部導水路の双方または一方と前記共通導水路とを連通させる切替弁と、を備え、
前記上部吐水口は前記共通導水路の分岐点よりも上部に位置し、前記下部吐水口は前記上部吐水口よりも下部に位置し、
前記上部導水路および下部導水路の双方と前記共通導水路を連通させた状態にあるとき、前記共通導水路の水は、前記上部導水路を経由して前記上部吐水口から帯状水として吐出され、かつ、前記下部導水路を経由して前記下部吐水口から吐出され、
前記共通導水路が前記分岐点に向かう方向は、前記分岐点から前記上部導水路に向かう方向と異なり、かつ、前記分岐点から前記下部導水路に向かう方向と異なることを特徴とする吐水装置。
【請求項２】
前記下部導水路は、前記分岐点より下方に位置する請求項１に記載の吐水装置。
【請求項３】
前記切替弁に制御信号を送信することにより、前記切替弁を制御する弁制御装置、を更に備えることを特徴とする請求項１または２に記載の吐水装置。